(57)【特許請求の範囲】
【請求項１】
導体とその外周に形成された絶縁体層とを有する一対の絶縁心線が撚り合わせられて形成された対撚り心線を４本備えたツイストペアケーブルであって、
導電体に絶縁体層が被覆されることにより形成され前記絶縁心線の径寸法の０．７〜１．０倍の径寸法を有する介在心を中心にして、前記各対撚り心線を撚り合わせて形成した集合心を備えたツイストペアケーブル。
【請求項２】
ケーブルの長手方向に沿って常に接触する対撚り心線の組合せでは、両対撚り心線の撚り数差が３０回／ｍ以上である請求項１記載のツイストペアケーブル。
【発明の詳細な説明】
【０００１】
【発明の属する技術分野】
この発明は、例えばＬＡＮ配線等に用いられるツイストペアケーブルに関する。
【０００２】
【従来の技術】
ＬＡＮ配線等に用いられるケーブルとしては、その取扱性や経済性の観点から、一般的に図６に示すようなツイストペアケーブル５０が用いられている。
【０００３】
このツイストペアケーブル５０は、導体５１に絶縁体層５２を被覆して絶縁心線５３を形成し、この絶縁心線５３を２本撚り合わせて対撚り心線５４を形成し、この対撚り心線５４を４対集合して集合心５５を形成し、さらにこの集合心５５の外周に外被層５６を被覆することにより形成したものである。
【０００４】
ところで、近年、ＬＡＮ等での伝送速度が高速化し、１００Ｍbps以上の伝送速度での通信環境が要求されるようになった。
【０００５】
これに伴い、上述のようなツイストペアケーブル５０でもより高度な伝送特性が要求され、特に１００Ｍbps以上の高速伝送速度下で各対撚り心線５４間の漏話を防止することが要求されるに至った。
【０００６】
かかる漏話は、主として対撚り心線５４間の静電結合及び電磁結合により生じるものであり、そこで、従来では、漏話特性の改善を図るため、各対撚り心線５４に遮蔽テープを巻付け、又は、編組層を被覆したりしていた。
【０００７】
【発明が解決しようとする課題】
しかしながら、上記従来のツイストペアケーブルでは、各対撚り心線５４にそれぞれ遮蔽テープ又は編組層を施していため、材料費及び製造工程数を共に増加させ、ケーブルの製造コストの増加を招いていた。
【０００８】
また、各対撚り心線５４に施した遮蔽テープ又は編組層により、ケーブルが太く硬くなり、その取扱性の悪化を招いていた。
【０００９】
さらに、ケーブルの端末加工を行う際に、遮蔽テープや編組層の除去作業が必要となり、端末加工の作業性の悪化を招いていた。
【００１０】
そこで、この発明は上述したような各問題を解決すべくなされたもので、漏話特性、取扱性、端末加工の作業性に優れた低製造コストのツイストペアケーブルを提供することを目的とする。
【００１１】
【課題を解決するための手段】
上記の課題を解決するため、この発明の請求項１記載のツイストペアケーブルは、導体とその外周に形成された絶縁体層とを有する一対の絶縁心線が撚り合わせられて形成された対撚り心線を４本備えたツイストペアケーブルであって、導電体に絶縁体層が被覆されることにより形成され前記絶縁心線の径寸法の０．７〜１．０倍の径寸法を有する介在心を中心にして、前記各対撚り心線を撚り合わせて形成した集合心を備えたものである。
【００１２】
なお、この場合、請求項２記載のように、ケーブルの長手方向に沿って常に接触する対撚り心線の組合せでは、両対撚り心線の撚り数差が３０回／ｍ以上であるようにしてもよい。
【００１３】
【発明の実施の形態】
以下、この発明にかかる一実施形態のツイストペアケーブルについて説明する。
【００１４】
このツイストペアケーブル１は、図１に示すように、銅合金等の線状の導体２とこの導体２の外周に絶縁樹脂等を被覆して形成した絶縁体層３とを有する絶縁心線４が２本撚り合わされることにより形成された対撚り心線５を４本備えており、この各対撚り心線５が介在心９を中心にして同一ピッチで螺旋状に撚り合わせて集合心６が形成され、この集合心６の外周に絶縁樹脂等の外被層１０が被覆された構成となっている。
【００１５】
介在心９は、銅合金等により形成された線状の導電体７とその導電体７の外周に絶縁樹脂等を被覆して形成した絶縁体層８とを有しており、その径寸法が、絶縁心線４の径寸法の０．７〜１．０倍に仕上げられた構成となっている。
【００１６】
このように構成されたツイストペアケーブル１によると、各対撚り心線５が介在心９を中心にして撚り合わされることにより集合心６が形成されているため、その介在心９を挟んで対向する対撚り心線３間の離間寸法がおおよそ当該介在心９の径寸法以上に保たれ、主として静電結合及び電磁結合に起因するそれら対撚り心線３間の漏話を防止することができる。
【００１７】
また、この介在心９は、導電体７に絶縁体層８が被覆されることにより形成されているため、その導電体７によっても当該介在心を挟んで対向する対撚り心線３間の静電結合及び電磁結合に変化が生じ、もってそれら間の漏話を防止することができる。
【００１８】
また、この介在心９は、絶縁心線４の径の０．７〜１．０倍の径を有しているため、この介在心９を設けたことによって、ツイストペアケーブル１自体の径がそれほど大きくなることもない。つまり、図６に示す従来のツイストペアケーブル５０においては、上下又は左右で対向し合う対撚り心線５４間の離間寸法ｓは、対撚り心線５４の径寸法をＤとすると、ｓ＝０．４１４×Ｄで表され、また、対撚り心線５４の径寸法Ｄは、絶縁心線５３の径寸法をｒとすると、Ｄ＝ｒ×２×０．９５（０．９５は絶縁心線５３の圧縮変形等を考慮した係数）で表される。すると、離間寸法ｓは、絶縁心線５３の径寸法の約０．７９倍となるため、図１のツイストペアケーブル１のように各対撚り心線５の中心に絶縁心線４の径寸法の０．７〜１．０倍の径寸法を有する介在心９を設けても、その従来のツイストペアケーブル５０と比べて極端にケーブル１の径寸法が大きくなってしまうこともない。
【００１９】
また、このようにケーブル１の径寸法がそれ程大きくなることも無いことに加えて、各絶縁心線の中心に、単一の介在心９を設けているだけなので、各対撚り心線に遮蔽テープ又は編組層を施した従来のケーブルほどケーブルの柔軟性を損うこともないので、その取扱性に優れる。
【００２０】
さらに、ケーブル１の端末加工を施す際には、その介在心９を除去するだけでよく、従来のように各対撚り心線に施された遮蔽テープ又は編組層を除去する作業に比べて極めて容易な作業であり、端末加工の作業性にも優れる。
【００２１】
また、このケーブル１では、単に各対撚り心線５の中心に介在心９を設けるだけでよいため、各対撚り心線に遮蔽テープや編組層を施した従来のケーブルよりも、その材料費及び製造工数と共に少なくなり、製造コストの低廉化が図られる。
【００２２】
なお、このツイストペアケーブル１において、介在心９の周方向に沿って隣設する対撚り心線５の組合せ、換言すると、ケーブルの長手方向に沿って常に接触する対撚り心線５の組合せでは、両対撚り心線５の撚り数差を３０回／ｍ以上とするのが好ましい。
【００２３】
ここで対撚り心線５の撚り数差は、一方側の対撚り心線５の撚りピッチをＰ1[ｍｍ]とし、他方側の対撚り心線５の撚りピッチをＰ2[ｍｍ]とすると（但しＰ1≦Ｐ2）、（撚り数差）＝（１／Ｐ1−１／Ｐ2）×１０００[回／ｍ]、で与えられる値である。
【００２４】
このように撚り数差の下限値を設定する理由は、次の通りである。
【００２５】
まず、図２及び図３は、図６のツイストペアケーブル５０で、ケーブル５０の長手方向に沿って常に接触する組合せにおいて、対撚り心線５４に撚り数差を生じさせた場合の近端漏話減衰量を示す図である。このうち図２は、常に接触する一の組合せにおいて、その一方の対撚り心線５４の対撚りピッチを１０．５ｍｍにし、他方の対撚り心線５４の対撚りピッチを１５．５ｍｍにして、その撚り数差を３０．７回／ｍとした場合であり、図３は、常に接触する一の組合せにおいて、その一方の対撚り心線５４の対撚りピッチを１０．５ｍｍにし、他方の対撚り心線５４の対撚りピッチを１２．５ｍｍにして、その撚り数差を１５．２回／ｍとした場合である。
【００２６】
なお、図２及び図３の直線Ｐは、ＥＩＡ（米国電子工業会）及びＴＩＡ（米国通信工業会）が定めたカテゴリー６の仕様上要求される近端漏話減衰量を示す値である。
【００２７】
これらの図２及び図３からわかるように、ケーブル５０の長手方向に沿って常に接触する対撚り心線５４の組合せでは、その対撚り心線５４の撚り数差が３０回／ｍ以上の場合には、１〜２５０Mhzの帯域においてカテゴリー６の仕様を満足する優れた漏話特性を示すが、撚り数差が１５回／ｍ程度では、カテゴリー６の仕様を充分に満たすことができない余り好ましくない漏話特性を示す。
【００２８】
従って、本実施形態のツイストペアケーブル１においても、そのケーブル１の長手方向に沿って常に接触する対撚り心線５の組合せにおいては、その対撚り心線５の撚り数差を３０回／ｍ以上とすることにより、優れた漏話特性を得ることができるのである。
【００２９】
なお、実際に本実施形態にかかるツイストペアケーブル１を製造し、その近端漏話減衰量を測定したところ、図４に示すようになった。
【００３０】
ここで、ツイストペアケーブル１は、絶縁心線４として径寸法０．９９ｍｍのものを用い、介在心として０．６９ｍｍのものを用い、また、４つの対撚り心線５のうち一の対撚り心線５の対撚りピッチを８．５ｍｍとし、それから右回り（時計回り）に順に各対撚り心線５の対撚りピッチを１３．５ｍｍ，９．５ｍｍ，１６．０ｍｍとしたものであり、図４の近端漏話減衰量の測定値は、そのうち介在心９を挟んで対向する８．５ｍｍの対撚りピッチの対撚り心線５と９．５ｍｍの対撚りピッチの対撚り心線５との間の測定結果である。
【００３１】
なお、比較例として図５に、図６の従来のツイストペアケーブル５０における近端漏話減衰量を示す。
【００３２】
なお、このツイストペアケーブル５０は、絶縁心線５３として径寸法０．９９ｍｍのものを用い、また、各対撚り心線５４の対撚りピッチは、上記と同様に対撚りピッチ８．５ｍｍの一の対撚り心線５４から右回りに順に、各対撚りピッチを１３．５ｍｍ，９．５ｍｍ，１６．０ｍｍとしたものであり、図５の測定値は、同様に８．５ｍｍの対撚りピッチの対撚り心線５４と９．５ｍｍの対撚りピッチの対撚り心線５４との間の近端漏話減衰量である。
【００３３】
これらの測定結果から明らかなように、本実施形態にかかるツイストペアケーブル１では、１〜２５０Mhzの伝送速度の全域に亘って、従来のツイストペアケーブル５０の場合よりも近端漏話減衰量が大きくなっており、優れた漏話特性を示していることがわかる。
【００３４】
【発明の効果】
以上のように、この発明の請求項１記載のツイストペアケーブルによると、導体とその外周に形成された絶縁体層とを有する一対の絶縁心線が撚り合わせられて形成された対撚り心線を４本備えたツイストペアケーブルであって、介在心を中心にして、各対撚り心線を撚り合わせて集合心を形成しているため、その介在心を挟んで対向する対撚り心線間の離間寸法がおおよそ当該介在心の径寸法以上に保たれ、それら対撚り心線間の漏話を防止することができる。また、この介在心は、導電体に絶縁体層が被覆されることにより形成されているため、その導電体によっても当該介在心を挟んで対向する対撚り心線間の漏話防止効果を得ることができる。
【００３５】
さらに、この介在心は、絶縁心線の径の０．７〜１．０倍の径を有しているため、この介在心を設けたことによって、ツイストペアケーブル自体の径がそれほど大きくなることもなく、また、各対撚り心線に遮蔽テープ又は編組層を施した場合ほど、ケーブルの柔軟性を損うこともないので、その取扱性に優れる。
【００３６】
また、ケーブルの端末加工を施す際には、その介在心を除去するだけでよく、従来のように各対撚り心線に施された遮蔽テープ又は編組層を除去する作業に比べて極めて容易な作業であり、端末加工の作業性にも優れる。
【００３７】
さらに、このケーブルでは、単に集合心の中心に介在心を設けるだけでよいため、各対撚り心線に遮蔽テープや編組層を施した従来のケーブルよりも、その材料費及び製造工数と共に少なくなり、製造コストの低廉化が図られる。
【００３８】
また、この発明の請求項２記載のツイストペアケーブルでは、ケーブルの長手方向に沿って常に接触する対撚り心線の組合せでは、両対撚り心線の撚り数差を３０回／ｍ以上としているため、それらの対撚り心線間でも漏話が防止される。
【図面の簡単な説明】
【図１】この発明にかかる一実施形態のツイストペアケーブルを示す断面図である。
【図２】撚り数差を３０．７回／ｍとした場合の近端漏話減衰量を示す図である。
【図３】撚り数差を１５．２回／ｍとした場合の近端漏話減衰量を示す図である。
【図４】本実施形態のツイストペアケーブルにおける近端漏話減衰量を示す図である。
【図５】従来のツイストペアケーブルにおける近端漏話減衰量を示す図である。
【図６】従来のツイストペアケーブルを示す断面図である。
【符号の説明】
１  ツイストペアケーブル
２  導体
３  絶縁体層
４  絶縁心線
５  対撚り心線
６  集合心
７  導電体
８  絶縁体層
９  介在心
【図１】
0003636002.tif 000002
【図２】
0003636002.tif 000003
【図３】
0003636002.tif 000004
【図４】
0003636002.tif 000005
【図５】
0003636002.tif 000006
【図６】
0003636002.tif 000007